(57)【特許請求の範囲】
【請求項１】
ペアリングされた複数の他端末との間でデータを送受信可能な通信端末であって、
前記複数の他端末でコンテンツが閲覧された履歴を示す閲覧履歴情報を、前記複数の他端末から取得する取得部と、
前記取得部が、前記複数の他端末から前記閲覧履歴情報を取得した場合に、前記閲覧履歴情報に対応するコンテンツを閲覧するための複数のアイコン画像を表示部に表示し、前記複数のアイコン画像のうち少なくとも１つが選択されると前記コンテンツを前記表示部に表示する表示制御部と、
を有する通信端末。
【請求項２】
前記表示制御部は、前記複数の他端末を特定するための情報と関連付けて、前記複数のアイコン画像を並べて表示する、
請求項１に記載の通信端末。
【請求項３】
前記表示制御部は、前記複数の他端末のそれぞれにおける前記コンテンツの閲覧が終了した時刻の順番に前記複数のアイコン画像を並べて表示する、
請求項１又は２に記載の通信端末。
【請求項４】
前記表示制御部は、前記複数のアイコン画像から一以上のアイコン画像を選択する操作を受け付け、前記一以上のアイコン画像が選択された後に、受け付けた前記操作により特定される前記アイコン画像に対応するコンテンツを表示させる、
請求項１から３のいずれか１項に記載の通信端末。
【請求項５】
前記取得部は、前記一以上のアイコン画像が選択された後に、選択された前記一以上のアイコン画像に対応する前記閲覧履歴情報により特定される前記コンテンツを、前記複数の他端末のうち前記アイコン画像に対応する他端末から取得する、
請求項４に記載の通信端末。
【請求項６】
前記表示制御部は、選択された前記一以上のアイコン画像に対応する前記閲覧履歴情報と、自端末におけるコンテンツの閲覧履歴を示す閲覧履歴情報とを、同一の画面内に表示する、
請求項４又は５に記載の通信端末。
【請求項７】
前記表示制御部は、前記複数のアイコン画像に対応する前記複数の他端末から取得された前記閲覧履歴情報を、前記複数の他端末のそれぞれを特定するための情報に関連付けて表示する、
請求項１から６のいずれか１項に記載の通信端末。
【請求項８】
前記表示制御部は、前記取得部が前記閲覧履歴情報を取得したことに応じて、前記閲覧履歴情報を送信した前記複数の他端末の台数よりも少ない数の前記アイコン画像を表示し、前記アイコン画像に対して行われる操作の内容に基づいて決定される端末において閲覧されていた前記コンテンツを表示する、
請求項１から７のいずれか１項に記載の通信端末。
【請求項９】
前記取得部は、前記複数の他端末のうち、前記通信端末の通信料金と合算して通信料金が徴収される他端末から前記閲覧履歴情報を取得する、
請求項１から８のいずれか１項に記載の通信端末。
【請求項１０】
前記取得部は、前記他端末において閲覧されていた前記コンテンツを閲覧することを許可する通知を前記他端末から受けてから所定の期間において、前記他端末から前記閲覧履歴情報を取得する、
請求項９に記載の通信端末。
【請求項１１】
通信端末のコンピュータが実行する、ペアリングされた複数の他端末において閲覧されたコンテンツを表示する方法であって、
前記複数の他端末でコンテンツが閲覧された履歴を示す閲覧履歴情報を、前記複数の他端末から取得するステップと、
前記複数の他端末から前記閲覧履歴情報を取得した場合に、前記閲覧履歴情報に対応するコンテンツを閲覧するためのアイコン画像を表示部に表示するステップと、
前記アイコン画像が選択されたことに応じて、前記コンテンツを前記表示部に表示するステップと、
を有するコンテンツ表示方法。
【請求項１２】
通信端末のコンピュータに、
ペアリングされた複数の他端末でコンテンツが閲覧された履歴を示す閲覧履歴情報を、前記複数の他端末から取得するステップと、
前記複数の他端末から前記閲覧履歴情報を取得した場合に、前記閲覧履歴情報に対応するコンテンツを閲覧するためのアイコン画像を表示部に表示するステップと、
前記アイコン画像が選択されたことに応じて、前記コンテンツを前記表示部に表示するステップと、
を実行させるためのプログラム。
【発明の詳細な説明】
【技術分野】
【０００１】
本発明は、通信端末、コンテンツ表示方法、及び通信端末用のプログラムに関する。
【背景技術】
【０００２】
従来、電子機器で閲覧されていたコンテンツを、他の電子機器で継続して閲覧できるようにする方法が知られている。特許文献１には、テレビで閲覧されていたコンテンツを携帯端末で閲覧できるようにするための制御方法が開示されている。
【先行技術文献】
【特許文献】
【０００３】
【特許文献１】特開２０１３−１４３１５４号公報
【発明の概要】
【発明が解決しようとする課題】
【０００４】
近年では、ユーザが、スマートフォン、タブレット、コンピュータといった通信可能な端末を複数所有することも珍しくない。それ故、複数の端末でコンテンツを閲覧していた場合、複数の端末で閲覧していたコンテンツのうち、所望のコンテンツの続きを他の電子機器で閲覧するためには、煩雑な操作が必要であった。
【０００５】
そこで、本発明はこれらの点に鑑みてなされたものであり、複数の端末で閲覧していたコンテンツの続きを、他の電子機器で閲覧しやすくすることができる通信端末を提供することを目的とする。
【課題を解決するための手段】
【０００６】
本発明の第１の態様においては、ペアリングされた複数の他端末との間でデータを送受信可能な通信端末であって、前記複数の他端末でコンテンツが閲覧された履歴を示す閲覧履歴情報を、前記複数の他端末から取得する取得部と、前記取得部が、前記複数の他端末から前記閲覧履歴情報を取得した場合に、前記閲覧履歴情報に対応するコンテンツを閲覧するための複数のアイコン画像を表示部に表示し、前記複数のアイコン画像のうち少なくとも１つが選択されると前記コンテンツを前記表示部に表示する表示制御部と、を有する通信端末を提供する。
【０００７】
前記表示制御部は、例えば、前記複数の他端末を特定するための情報と関連付けて、前記複数のアイコン画像を並べて表示する。
前記表示制御部は、前記複数の他端末のそれぞれにおける前記コンテンツの閲覧が終了した時刻の順番に前記複数のアイコン画像を並べて表示してもよい。
【０００８】
前記表示制御部は、前記複数のアイコン画像から一以上のアイコン画像を選択する操作を受け付け、前記一以上のアイコン画像が選択された後に、受け付けた前記操作により特定される前記アイコン画像に対応するコンテンツを表示させてもよい。
前記取得部は、例えば、前記一以上のアイコン画像が選択された後に、選択された前記一以上のアイコン画像に対応する前記閲覧履歴情報により特定される前記コンテンツを、前記複数の他端末のうち前記アイコン画像に対応する他端末から取得する。
【０００９】
前記表示制御部は、選択された前記一以上のアイコン画像に対応する前記閲覧履歴情報と、自端末におけるコンテンツの閲覧履歴を示す閲覧履歴情報とを、同一の画面内に表示してもよい。
前記表示制御部は、例えば、前記複数のアイコン画像に対応する前記複数の他端末から取得された前記閲覧履歴情報を、前記複数の他端末のそれぞれを特定するための情報に関連付けて表示する。
【００１０】
前記表示制御部は、例えば、前記取得部が前記閲覧履歴情報を取得したことに応じて、前記閲覧履歴情報を送信した前記複数の他端末の台数よりも少ない数の前記アイコン画像を表示する。そして、前記表示制御部は、前記アイコン画像に対して行われる操作の内容に基づいて決定される端末において閲覧されていた前記コンテンツを表示してもよい。
【００１１】
前記取得部は、前記複数の他端末のうち、前記通信端末の通信料金と合算して通信料金が徴収される他端末から前記閲覧履歴情報を取得してもよい。
前記取得部は、前記他端末において閲覧されていた前記コンテンツを閲覧することを許可する通知を前記他端末から受けてから所定の期間において、前記他端末から前記閲覧履歴情報を取得してもよい。
【００１２】
本発明の第２の態様においては、通信端末のコンピュータが実行する、ペアリングされた複数の他端末において閲覧されたコンテンツを表示する方法であって、前記複数の他端末でコンテンツが閲覧された履歴を示す閲覧履歴情報を、前記複数の他端末から取得するステップと、前記複数の他端末から前記閲覧履歴情報を取得した場合に、前記閲覧履歴情報に対応するコンテンツを閲覧するためのアイコン画像を表示部に表示するステップと、前記アイコン画像が選択されたことに応じて、前記コンテンツを前記表示部に表示するステップと、を有するコンテンツ表示方法を提供する。
【００１３】
本発明の第３の態様においては、通信端末のコンピュータに、ペアリングされた複数の他端末でコンテンツが閲覧された履歴を示す閲覧履歴情報を、前記複数の他端末から取得するステップと、前記複数の他端末から前記閲覧履歴情報を取得した場合に、前記閲覧履歴情報に対応するコンテンツを閲覧するためのアイコン画像を表示部に表示するステップと、前記アイコン画像が選択されたことに応じて、前記コンテンツを前記表示部に表示するステップと、を実行させるためのプログラムを提供する。
【発明の効果】
【００１４】
本発明によれば、複数の端末で閲覧していたコンテンツの続きを、他の電子機器で閲覧しやすくすることができるという効果を奏する。
【図面の簡単な説明】
【００１５】
【図１】第１の実施形態に係る通信システムの構成を示す図である。
【図２】継続閲覧機能の概要を説明するための図である。
【図３】継続閲覧機能の概要を説明するための図である。
【図４】通信端末の構成を示す図である。
【図５】画面生成部が生成する閲覧履歴一覧画面の例を示す図である。
【図６】通信システムにおける動作シーケンスを示す図である。
【図７】通信システムにおける別の動作シーケンスを示す図である。
【図８】変形例におけるアイコン画像を表示した状態の画面の一例を示す図である。
【図９】他端末からコンテンツのデータを取得している最中に、ロック画面に表示されるアイコンを示した図である。
【図１０】変形例３に係る画面の例を示す図である。
【発明を実施するための形態】
【００１６】
［通信システムＳの概要］
図１は、第１の実施形態に係る通信システムＳの構成を示す図である。通信システムＳは、無線通信回線Ｗを介して互いにデータを送受信することができる通信端末１、通信端末２及び通信端末３を含んでいる。通信端末１〜３は、タブレット、スマートフォン及びコンピュータ等のように、通信機能及び表示機能を有する端末である。図１においては、通信端末１がタブレットであり、通信端末２がスマートフォンであり、通信端末３がコンピュータである例を示しているが、通信端末１〜３は、通信機能及び表示機能を有する電子機器であれば任意の電子機器でよい。また、通信システムＳには、更に他の端末が含まれていてよい。
【００１７】
通信端末１は、電源ボタンＰ１及び表示部１２を有している。同様に、通信端末２は、電源ボタンＰ２及び表示部２２を有している。通信端末３は、電源ボタンＰ３及び表示部３２を有している。通信端末１〜３は、内部の記憶媒体に記憶されたコンテンツ、及びネットワークを介してサーバから取得したコンテンツを、それぞれ表示部１２、表示部２２及び表示部３２に表示することができる。
【００１８】
通信端末１〜３のそれぞれは、互いにデータを送受信できるようにペアリングされている。無線通信回線ＷがＢＬＥ（Bluetooth（登録商標） Low Energy）である場合、ユーザが、通信端末１〜３のそれぞれをペアリングするための操作をすることにより、通信端末１〜３は、互いの識別情報（以下、「端末ＩＤ」という）を取得して、他方の端末ＩＤを、内部の記憶媒体に記憶する。その後、通信端末１〜３は、ＢＬＥを介して互いにデータを送受信できる。通信端末１〜３が連動して動作することにより、ユーザが複数の端末で閲覧していたコンテンツの続きを、別の端末で継続して閲覧することができる。本明細書において、何れかの端末で閲覧していたコンテンツの続きを別の端末で継続して閲覧する機能を「継続閲覧機能」という。
【００１９】
図２及び図３は、継続閲覧機能の概要を説明するための図である。以下、通信端末２及び通信端末３で閲覧していたコンテンツを通信端末１において継続閲覧する場合の動作の概要を説明する。
【００２０】
図２は、通信端末２で画像コンテンツを閲覧し、通信端末３でメールの閲覧をしているユーザが、通信端末１の電源ボタンＰ１を押した後に表示される画面を示している。表示部１２には、ロック画面が表示されており、ロック画面の左下には、通信端末２及び通信端末３で閲覧していたコンテンツの継続閲覧を開始するためのアイコン画像（以下、「アイコン画像」という）が表示されており、ロック画面は、アイコン画像を表示する領域を有するアイコン表示画面である。
【００２１】
図２においては、それぞれ通信端末２及び通信端末３に対応する、円形の画像内にＣ１又はＣ２という文字が付されたアイコン画像が１つずつ表示されているが、アイコン画像の態様は任意である。ロック画面は、通信端末１のユーザ以外が無断で通信端末１の記憶媒体に記憶されているコンテンツにアクセスすることを防ぐ画面であり、パスワード等の認証情報を入力する操作が行われることにより解除される。
【００２２】
アイコン画像は、継続閲覧をできる状態であることをユーザに示すという役割と、ユーザが継続閲覧を開始するための指示操作を受け付けるという役割を持っている。ユーザがアイコン画像Ｃ１にタッチすると、パスワード等の認証情報を入力する画面が表示される。ユーザが、表示された画面において認証情報を入力すると、図３のように、通信端末２で閲覧されていたコンテンツが表示部１２に表示される。図３には、図２においてアイコンＣ１を押下した場合に、通信端末２で閲覧していた画像コンテンツが通信端末１の表示部１２に表示される様子が示されている。
【００２３】
なお、図２においては、ユーザが通信端末２及び通信端末３において閲覧していたコンテンツが表示部２２及び表示部３２に表示されている状態を示しているが、図２及び図３の何れにおいても、表示部２２及び表示部３２にコンテンツが表示されているか否かは任意である。通信端末１は、表示部２２及び表示部３２にコンテンツが表示されていない場合であっても、過去にユーザが閲覧していたコンテンツがある場合、図２に示すようにアイコン画像を表示させ、ユーザがアイコン画像にタッチしたことに応じて、他の通信端末においてユーザが過去に閲覧していたコンテンツを表示させることができる。
【００２４】
［通信端末１の構成］
以下、通信端末１の構成について説明する。なお、通信端末２及び通信端末３も通信端末１と同等の構成を有している。以下の説明において、通信端末２及び通信端末３を他端末と称する場合がある。
図４は、通信端末１の構成を示す図である。通信端末１は、操作部１１及び表示部１２と、通信部１３と、記憶部１４と、制御部１５とを有する。
【００２５】
操作部１１は、ユーザによる操作を受け付ける。操作部１１は、図１に示した電源ボタンＰ１、及び表示部１２に重ねて設けられているタッチパネルを含む。操作部１１は、ユーザが操作をしたことを検出し、検出した操作内容を示す操作情報を制御部１５に通知する。
【００２６】
表示部１２は、例えば液晶パネル及びバックライトを含んでいる。表示部１２は、後述の表示制御部１５４の制御により、アイコン画像、閲覧履歴及びコンテンツ等を表示する。
【００２７】
通信部１３は、例えばＢＬＥの電波を送受信することができる無線ユニットを含んでいる。通信部１３は、他端末から送信された電波を受信するとともに、他端末に対して電波を送信する。
【００２８】
記憶部１４は、ＲＯＭ（Read Only Memory）及びＲＡＭ（Random Access Memory）等の記憶媒体である。記憶部１４は、制御部１５が実行するプログラムを記憶している。また、ペアリングしている他の端末の端末ＩＤを記憶している。
【００２９】
また、記憶部１４は、表示部１２に表示されたコンテンツの履歴を示す閲覧履歴情報を記憶している。閲覧履歴情報は、通信端末１がコンテンツにアクセスするために用いる情報である。コンテンツが、Ｗｅｂブラウザを用いて閲覧できるＷｅｂコンテンツである場合、閲覧履歴情報は、コンテンツの取得先のＵＲＬである。
【００３０】
制御部１５は、例えばＣＰＵ（Central Processing Unit）である。制御部１５は、記憶部１４に記憶された継続閲覧用プログラムを実行することにより、ロック制御部１５１、取得部１５２、画面生成部１５３、表示制御部１５４及び履歴送信部１５５として機能する。制御部１５は、継続閲覧用プログラムの他にも電話機能やメール送受信機能などを実現するためのプログラムを実行する。
【００３１】
ロック制御部１５１は、ロック画面を制御する。具体的には、ロック制御部１５１は、電源オフ状態又はスタンバイ状態において電源ボタンＰ１が押されたことを契機としてロック画面を表示させ、ロック画面を表示させたことを取得部１５２に通知する。なお、ロック制御部１５１がロック画面を表示させる契機としては、電源ボタンＰ１が押されたことに限られず、ロック制御部１５１は、通信端末１に内蔵された加速度センサ、磁気センサ又は指紋センサ等の検出値の変化を用いてもよい。
【００３２】
ロック制御部１５１は、ロック画面の表示中に、アイコン画像がタッチされたことを取得部１５２から通知されると、認証情報を入力する画面を表示する。ロック制御部１５１は、操作部１１から入力される操作情報に基づいて、ロック画面が表示されている間にユーザが認証情報を入力したことを検知するとロック画面を解除し、ロック画面を解除したことを、ＯＳ（Operating System）を介して他のプログラムに通知する。
【００３３】
取得部１５２は、通信部１３を介して各種の情報を取得する。例えば、取得部１５２は、ペアリングされた他端末で閲覧されていたコンテンツを特定するための閲覧履歴情報を、無線通信回線Ｗを介して他端末から取得する。取得部１５２は、例えば、複数の通信端末から取得した複数の閲覧履歴情報を統合して１つのファイルとして記憶部１４に記録する。また、取得部１５２は、他端末で閲覧されていたコンテンツを、外部のサーバ及び他端末等から取得する。
【００３４】
取得部１５２は、例えば、ロック制御部１５１から、ロック画面を表示させた通知を受けたことを契機として、他端末に対して、閲覧履歴情報を要求する要求情報を送信することにより、閲覧履歴情報を他端末から取得する。取得部１５２は、閲覧履歴情報を取得すると、表示制御部１５４を介して、継続閲覧が可能であることを示すアイコン画像を表示部１２に表示する。
【００３５】
取得部１５２は、アイコン画像を表示した後に、アイコン画像にタッチする操作が行われるかを監視する。取得部１５２は、操作部１１から入力された操作情報に基づいて、ユーザがアイコン画像にタッチしたことを検出すると、アイコン画像がタッチされたことをロック制御部１５１に通知する。
【００３６】
また、取得部１５２は、ロック画面が解除されてから所定の時間が経過するまでの間、アイコン画像を表示させ、所定の時間が経過した後に、アイコン画像の表示を停止させるようにしてもよい。このように、ロック画面が解除されてからもしばらくの間はアイコン画像を表示しておくことで、ユーザは、通信端末１のロックを解除して操作を開始した後に、他端末で閲覧していたコンテンツの継続閲覧をしたいと考えた時に、容易に継続閲覧をすることが可能になる。
【００３７】
取得部１５２は、ユーザによる設定内容に応じて、閲覧履歴情報に含める対象とするコンテンツの種別を指定する情報を含む要求情報を他端末に送信することにより、他端末から取得する閲覧履歴情報の内容を制御することができる。取得部１５２は、例えば、閲覧履歴情報に含める対象とするコンテンツの種別として、自端末の画面の大きさ、自端末の機能、自端末にインストールされているアプリケーションソフトの種類等の通信端末１の特性に対応するコンテンツの閲覧履歴情報を要求するための要求情報を他端末に送信する。このようにすることで、例えば、大きな画面で編集していたコンテンツのように、小さな画面の通信端末１で閲覧する可能性がないコンテンツや、再生することができないコンテンツの閲覧履歴情報が取得されることを防止できる。
【００３８】
取得部１５２は、ユーザによる設定内容に応じて、閲覧履歴情報を要求する他端末を選択することができる。取得部１５２は、例えば、自端末にインストールされているＯＳと同じＯＳがインストールされている端末にのみ閲覧履歴情報を要求する。このようにすることで、例えば、タブレットを使用中にコンピュータでのみ表示できる動画の閲覧履歴情報を要求せずに済む。従って、ユーザは自端末で閲覧不可能なコンテンツを選択せずに済む。
【００３９】
また、取得部１５２は、複数の他端末のうち、通信端末１の通信料金と合算して通信料金が徴収される他端末から閲覧履歴情報を取得してもよい。例えば、ユーザは、通信端末１と通信端末２とが、通信料金が合算して支払われるよう契約している本人又は家族の端末であり、通信端末３が会社から貸与された端末であるとする。
【００４０】
この場合、ユーザが通信端末１で継続閲覧をするとすれば、通信端末３ではなく通信端末２のコンテンツを継続閲覧すると考えられる。そこで、取得部１５２は、他端末が、通信料金が合算して支払われるよう契約されているかどうかに基づいて、閲覧履歴情報を取得する対象を選択することにより、継続閲覧をする可能性が高い他端末の閲覧履歴情報を取得することができる。
【００４１】
ここで、通信端末２が、通信端末１のユーザの家族の端末である場合、通信端末２のユーザは、通信端末１のユーザと一緒に閲覧していたコンテンツの続きを通信端末１のユーザが継続閲覧することだけを許可し、他のコンテンツを閲覧できないようにしたい場合がある。
【００４２】
そこで、取得部１５２は、他端末において閲覧されていたコンテンツを閲覧することを許可する通知を他端末から受けてから所定の期間において、他端末から閲覧履歴情報を取得してもよい。このようにすることで、通信端末２のユーザは、通信端末１のユーザにコンテンツを継続閲覧させる期間を制限することができる。
【００４３】
取得部１５２は、ユーザによって予め指定された種別のコンテンツに対する要求情報を他端末に送信してもよい。例えば、ユーザが、通信端末２においてはブラウザで閲覧するＷｅｂコンテンツ以外を閲覧しないと決めている場合、取得部１５２は、Ｗｅｂコンテンツを指定する情報を含む要求情報を他端末に送信することで、Ｗｅｂコンテンツの閲覧履歴のみが含まれる閲覧履歴情報を取得することができる。
【００４４】
また、取得部１５２は、ユーザによる設定内容に応じて、他端末において閲覧の途中であったコンテンツの閲覧履歴情報を他端末から取得することもできる。この場合、他端末において閲覧された画面が閉じられたコンテンツの閲覧履歴が閲覧履歴情報に含まれないので、ユーザが、他端末で閲覧が終了しており、継続閲覧をする必要がないコンテンツを表示させてしまうことを防止できる。
【００４５】
上述した取得部１５２は、所定の時間が経過しても他端末から閲覧履歴情報が送信されてこない場合には、アイコン画像を表示しない。
【００４６】
画面生成部１５３は、取得部１５２が取得した閲覧履歴情報に基づいて、他端末で閲覧していたコンテンツを含む画面データを生成する。閲覧履歴情報が、他端末において直前まで閲覧されていたコンテンツの取得先アドレス（例えば、ＵＲＬ）を含んでいる場合、画面生成部１５３は、取得部１５２に取得先アドレスにアクセスさせることにより、他端末において閲覧されていたコンテンツを取得する。画面生成部１５３は、取得したコンテンツを含む画面データを生成し、表示制御部１５４を介して画面データを表示部１２に表示させる。
【００４７】
画面生成部１５３は、取得部１５２が取得した閲覧履歴情報が複数の閲覧履歴を含んでいる場合、閲覧履歴の一覧を表示する画面を生成する。画面生成部１５３は、例えば、自端末における閲覧履歴、及び他端末における閲覧履歴の両方を含む閲覧履歴一覧画面を生成する。
【００４８】
図５は、画面生成部１５３が生成する閲覧履歴一覧画面の例を示す図である。図５（ａ）は、自端末における閲覧履歴と、他端末における閲覧履歴とを混在させて表示させている例を示している。図５（ａ）に示す閲覧履歴一覧画面では、複数のアイコン画像に対応する複数の他端末から取得された閲覧履歴情報が、複数の他端末のそれぞれを特定するための情報に関連付いている。
【００４９】
図５（ａ）は、複数の他端末のそれぞれを特定するための情報が、他端末のそれぞれに対応する背景画像データである例を示している。図５（ａ）において白色で示されているコンテンツａ１及び網掛けで示されているコンテンツｃ１は、通信端末２及び通信端末３における閲覧履歴を示しており、図５（ａ）において斜線で示されているコンテンツｂ１は、自端末における閲覧履歴を示している。
【００５０】
図５（ａ）に示す例において、画面生成部１５３は、直近に閲覧されたコンテンツが手前に表示されるように画面データを構成する。例えば、現在の時刻が１９：００であり、ユーザが、１７：００に他端末（通信端末２）を用いてメールを閲覧し、１８：００に自端末（通信端末１）を用いて写真を閲覧し、１８：４５に他端末（通信端末３）を用いてブラウザでニュースを閲覧したとする。
【００５１】
ユーザは、１９：００の時点で図５（ａ）の画面において最も手前に表示されているコンテンツａ１にタッチすることで、直前に他端末で閲覧していたニュースの続きを閲覧することができる。また、その際、ユーザが１７：００に他端末で閲覧していたメールを再確認したいと思った時には、奥側に表示されているコンテンツｃ１にタッチすることで、メールを閲覧することができる。
【００５２】
画面生成部１５３は、指定した端末のコンテンツを最前面に表示するように設定することもできる。例えば、画面生成部１５３は、通信端末１の通信料金と合算して通信料金が徴収される他端末のコンテンツを最前面に表示するように設定する。このようにすることで、ユーザは閲覧する頻度が高いコンテンツを見つけやすくなる。
【００５３】
図５（ｂ）に示す例において、画面生成部１５３は、他端末の履歴を表示する領域１２１に、他端末において直近に閲覧されたコンテンツが手前に表示されるように画面データを構成する。また、画面生成部１５３は、自端末の履歴を表示する領域１２２に、自端末において直近に閲覧されたコンテンツが手前に表示されるように画面データを構成する。このようにすることで、ユーザは、閲覧したいコンテンツを見つけやすくなる。
【００５４】
画面生成部１５３は、閲覧履歴一覧画面においてユーザが選択したコンテンツを速やかに表示するために、取得部１５２が閲覧履歴情報を取得した後に、閲覧履歴情報に含まれているコンテンツを順次取得して、取得したコンテンツを記憶部１４に記憶する。この際、画面生成部１５３は、閲覧された時刻が現在の時刻に近い順に、コンテンツを取得する。
【００５５】
このようにすることで、ユーザが継続閲覧の操作をした時点で、継続閲覧される確率が最も高い、直近に閲覧されたコンテンツが記憶部１４に記憶されている可能性が高いので、ユーザが継続閲覧をする際に、ほぼ確実にコンテンツを閲覧することができる。
【００５６】
画面生成部１５３は、予め端末の順番を設定し、指定した順番でコンテンツを取得することもできる。このようにすることで、ユーザは使用する頻度が高い端末のコンテンツを最初に取得することができる。また、画面生成部１５３は、コンテンツの種類毎に、取得する順番を決めてもよい。
【００５７】
画面生成部１５３は、データ量が少ないコンテンツから順に取得してもよい。例えば、画面生成部１５３は、テキストコンテンツを最初に取得し、その後、取得に時間がかかる動画コンテンツを取得する。こうすると、ユーザは取得が済んだテキストファイルをすぐに閲覧することができる。
【００５８】
また、画面生成部１５３は、データ量が多いコンテンツから順に取得してもよい。例えば、画面生成部１５３は、データ量が多い動画コンテンツを最初に取得する。こうすると、例えば動画コンテンツを閲覧する場合に、動画コンテンツの閲覧を開始する時点で、動画コンテンツのうち多くの部分の取得をしやすくなる。したがって、動画コンテンツの取得が早期に完了し、ユーザは、動画コンテンツの閲覧中に動画が途切れることを防止できる。
【００５９】
なお、閲覧履歴情報には、他端末におけるコンテンツの閲覧状態を示す情報が含まれており、画面生成部１５３は、他端末で閲覧されたコンテンツを特定するための情報に関連付けて、他端末でどこまで閲覧していたかを示す情報を含む画面データを生成してもよい。画面生成部１５３は、例えば、他端末で動画コンテンツが閲覧されていた場合に、どの位置まで閲覧されていたかを示す情報を含む画面データを生成することができる。
【００６０】
表示制御部１５４は、画面生成部１５３が生成した画面データを表示部１２に表示させる。表示制御部１５４は、取得部１５２から、閲覧履歴情報を取得したことの通知を受けると、閲覧履歴情報を取得したことを示すアイコン画像をロック画面内に表示させる。また、表示制御部１５４は、ユーザがアイコン画像を選択したことを示す操作情報が操作部１１から入力されると、取得部１５２が取得した閲覧履歴情報に対応する図５に示す画面を表示させる。ユーザは、通信端末１にインストールされている画面分割の機能を使って、複数の閲覧履歴情報を選択して複数のコンテンツを閲覧することもできる。
【００６１】
履歴送信部１５５は、他端末から、コンテンツの閲覧要求をする要求情報を受けた場合、記憶部１４に記憶された閲覧履歴情報を読み出して、閲覧履歴情報を他端末に送信する。履歴送信部１５５は、閲覧履歴情報に含める対象とするコンテンツの種別を指定する情報を含む要求情報を受けた場合、閲覧履歴のうち、指定されたコンテンツの種別に対応するコンテンツを選択し、選択したコンテンツの閲覧履歴のみを含む閲覧履歴情報を作成して他端末に送信する。
【００６２】
例えば、他端末から、他端末の画面の大きさに適したコンテンツの閲覧履歴を要求された場合、他端末の画面の大きさに適したコンテンツの閲覧履歴のみを含む閲覧履歴情報を送信する。このようにすることで、例えば、大きな画面で編集していたコンテンツのように、小さな画面の他端末で閲覧する可能性がないコンテンツの閲覧履歴情報が取得されることを防止できる。
【００６３】
［通信システムＳにおける動作シーケンス１］
図６は、通信システムＳにおける動作シーケンスを示す図である。図６は、ユーザが通信端末２及び通信端末３においてコンテンツを閲覧し、その後、通信端末１においてコンテンツの続きを閲覧する場合の動作を示している。
【００６４】
図６においては、通信端末２がコンテンツＡを表示する時点から開始している（Ｓ２１）。通信端末２は、コンテンツＡを表示すると、記憶部に記憶されている閲覧履歴情報にコンテンツＡの閲覧履歴を追加することにより、閲覧履歴情報を更新する（Ｓ２２）。その後、通信端末３がコンテンツＢを表示する（Ｓ３１）。通信端末３は、コンテンツＢを表示すると、記憶部に記憶されている閲覧履歴情報にコンテンツＢの閲覧履歴を追加することにより、閲覧履歴情報を更新する（Ｓ３２）。
【００６５】
その後、ユーザが通信端末２及び通信端末３を用いたコンテンツの閲覧を終了し、通信端末１の電源ボタンＰ１を押すと（Ｓ１１）、通信端末１はロック画面を表示する（Ｓ１２）。通信端末１は、ロック画面を表示すると、予めペアリングされた通信端末２及び通信端末３に対して、閲覧履歴情報を取得するための要求情報を送信する（Ｓ１３及びＳ１４）。
【００６６】
通信端末２は、要求情報を取得すると、記憶部に記憶されている閲覧履歴情報を通信端末１に送信する（Ｓ２３）。通信端末１は、通信端末２から閲覧履歴情報を受信すると、継続閲覧をすることができる閲覧履歴があることを示すアイコン画像Ａを表示する（Ｓ１５）。
【００６７】
同様に、通信端末３は、要求情報を取得すると、記憶部に記憶されている閲覧履歴情報を通信端末１に送信する（Ｓ３３）。通信端末１は、通信端末３から閲覧履歴情報を受信すると、継続閲覧をすることができる閲覧履歴があることを示すアイコン画像Ｂを表示する（Ｓ１６）。
【００６８】
その後、通信端末１は、アイコン画像がタッチされたかどうかを監視し（Ｓ１７）、アイコン画像がタッチされた場合に（Ｓ１７においてＹＥＳ）、タッチしたアイコンに対応するコンテンツを他端末（通信端末２又は通信端末３）から取得して、表示部１２に表示する（Ｓ１８）。通信端末１は、アイコン画像がタッチされない場合は（Ｓ１７においてＮＯ）、そのまま待機する。
【００６９】
［通信システムＳにおける動作シーケンス２］
上述したとおり、取得部１５２は、他端末にコンテンツの閲覧履歴情報を要求するのみならず、他端末で閲覧していたコンテンツのデータを要求して取得する。図７は、通信システムにおける別の動作シーケンスを示す図である。図７の動作シーケンスでは、通信端末１は、ユーザがアイコン画像をタッチする操作なしに、取得部１５２がコンテンツのデータを他端末から取得する。
【００７０】
図７では、まず、通信端末１がロック画面にアイコン画像Ａ及びＢを表示する時点からスタートする（Ｓ１５及びＳ１６）。続いて、取得部１５２は、通信端末２及び通信端末３に対してコンテンツのデータを要求する（Ｓ１７及びＳ１８）。
【００７１】
コンテンツのデータの要求情報を受信した通信端末２は、要求があったコンテンツＡのデータを通信端末１に送信する（Ｓ２４）。コンテンツＡのデータを受信した取得部１５２は、記憶部１４にコンテンツＡのデータを記録する（Ｓ１９）。
【００７２】
同様に、コンテンツのデータの要求情報を受信した通信端末３は、要求があったコンテンツＢのデータを通信端末１に送信する（Ｓ３４）。コンテンツＢのデータを受信した取得部１５２は、記憶部１４にコンテンツＢのデータを記録する（Ｓ２０）。
【００７３】
通信端末１は、アイコン画像Ａ又はアイコン画像Ｂの何れかがタッチされた場合（Ｓ２１においてＹＥＳ）、通信端末１は表示部１２にタッチしたアイコン画像に対応するコンテンツを表示する（Ｓ２２）。通信端末１は、アイコン画像Ａ及びアイコン画像Ｂの何れもタッチされない場合（２１においてＮＯ）、待機する。
【００７４】
［変形例１］
図２においては、継続閲覧をすることができることを示す２つのアイコン画像が、ロック画面内に同一形状で表示されていた。しかしながら、通信端末１は、継続閲覧をすることができることを示すアイコン画像の色や形状を、端末毎及びコンテンツの種類毎に変えて表示してもよい。例えば、取得部１５２は、端末情報及びコンテンツの種類に関する情報が含まれる閲覧履歴情報を取得する。そして、表示制御部１５４は、閲覧履歴情報が示す端末及びコンテンツの種類に対応するアイコン画像を表示させる。
【００７５】
図８は、変形例１におけるアイコン画像を表示した状態の画面の一例を示す図である。図８（ａ）においては、画面の左下に、Ｃ１、Ｃ２、Ｃ３という３種類のコンテンツに対応する異なる形状の４つのアイコン画像が、２つの模様を使い分けて表示されている。
【００７６】
図８（ａ）においては、通信端末２を表すアイコン画像は斜線で示されており、通信端末３を表すアイコン画像は網掛けがなされている。また、コンテンツの種類がＣ１（例えば、メール）であるアイコン画像は円形で表示され、コンテンツの種類がＣ２（例えば、Ｗｅｂ）であるアイコン画像は正方形で表示され、コンテンツの種類がＣ３（例えば、動画）であるアイコン画像は六角形で表示されている。このようにすると、ユーザはどの通信端末のどの種類のコンテンツを継続して閲覧するかを選択しやすくなる。
【００７７】
画面生成部１５３は、複数のアイコン画像のうち一のアイコン画像が選択されると、一のアイコン画像が選択されたことをロック制御部１５１に通知して、ロック画面を解除するための認証情報入力画面を表示させる。また、画面生成部１５３は、選択されたアイコン画像を特定する情報を取得部１５２に通知する。
【００７８】
取得部１５２は、通知された情報に基づいて、選択されたアイコン画像に対応するコンテンツを取得する。なお、コンテンツの種類毎に異なる形状のアイコンの形状を表示する場合、画面生成部１５３はアイコン画像にコンテンツの種類を示すテキストを重畳しなくてもよい。
【００７９】
図８（ｂ）は、複数のアイコン画像を表示する場合の他の例を示す図である。図８（ｂ）では、各アイコン画像は色が全て同じであり、アイコン画像がどの通信端末に対応するアイコン画像であるかが明示されていない。
【００８０】
図８（ｂ）に示した例では、ユーザはタッチ操作の方法を変えることによってどの通信端末のコンテンツを継続して閲覧するか指定する。例えば、通信端末毎にタップする回数を変えることにより、ユーザは通信端末を指定してコンテンツの閲覧を継続する。このようにすることで、スマートフォンなどの小さい画面の通信端末で、表示できるアイコン画像の数に制約がある場合であっても、ユーザが所望の通信端末で閲覧していたコンテンツを継続閲覧することができる。
【００８１】
［変形例２］
上述したとおり、取得部１５２は、他端末からコンテンツの閲覧履歴情報のみならず、他端末の記憶部に記録されているコンテンツのデータも取得することが可能である。取得部１５２が取得するデータの種類が動画である場合、データの受信に時間がかかることがある。その場合、通信端末１はロック画面に表示されたアイコン画像に、コンテンツのデータをどの程度取得したかを示す情報を付加してもよい。
【００８２】
図９は、他端末からコンテンツのデータを取得している最中に、ロック画面に表示されるアイコンを示した図である。図９では、通信端末１の表示部１２の左下に、異なる形状のアイコンが３つ表示されている。
【００８３】
コンテンツの種類がＣ１である円形のアイコン画像は、アイコン画像全体が水平線で塗りつぶされ、コンテンツの全データが取得済みであることが示されている。コンテンツの種類がＣ２である正方形のアイコン画像は、アイコン画像の３分の２が斜線で塗りつぶされ、コンテンツのデータが３分の２取得済みであることが示されている。コンテンツの種類がＣ３である六角形のアイコン画像は、アイコン画像の３分の１に網掛けがなされ、コンテンツのデータが３分の１取得済みであることが示されている。
【００８４】
なお、図８における水平線、斜線、網掛けのパターンのそれぞれは、通信端末２〜４のうちどの通信端末で閲覧されたコンテンツであるかを表すものであるが、パターンではなくアイコン画像に色を重畳することにより、通信端末を表してもよい。
【００８５】
［変形例３］
図１０は、変形例３に係る画面の例を示す図である。図１０（ａ）は、取得部１５２が閲覧履歴情報を取得したことに応じて表示制御部１５４が表示する、ユーザが継続閲覧をしたいコンテンツの種類を入力するための画面である。この画面が表示された状態で、ユーザが、何れかのコンテンツの種類を指定すると、画面生成部１５３は、表示制御部１５４を介して、通知を受けた種類に該当するコンテンツを特定するための情報を表示する。
【００８６】
図１０（ｂ）においては、コンテンツを特定するための情報として、各コンテンツのＵＲＬが表示されている。ユーザが、複数のＵＲＬのうち、継続閲覧したいコンテンツに対応するＵＲＬを選択すると、表示制御部１５４は、ユーザにより選択されたＵＲＬに対応するコンテンツを表示部１２に表示する。このようにすることで、ユーザは、所望のコンテンツの継続閲覧をしやすくなる。
【００８７】
［本実施形態における効果］
以上説明したように、本実施形態に係る通信端末１は、ペアリングされた複数の他端末との間でデータを送受信可能な通信端末であって、複数の他端末でコンテンツが閲覧された履歴を示す閲覧履歴情報を、複数の他端末から取得する取得部１５２と、取得部１５２が、複数の他端末から閲覧履歴情報を取得した場合に、閲覧履歴情報に対応するコンテンツを閲覧するための複数のアイコン画像を表示部１２に表示し、複数のアイコン画像のうち少なくとも１つが選択されるとコンテンツを表示部１２に表示する表示制御部１５４と、を有する。上記の構成を有する通信端末１は、複数の他端末においてコンテンツの継続閲覧をするための操作をすることなく、新たに操作する通信端末１において、他の複数の他端末で閲覧していたコンテンツを継続して閲覧することが可能になる。
【００８８】
また、通信端末１は、複数の他端末を特定するための情報と関連付けて、複数のアイコン画像を並べて表示する。こうすると、ユーザは、どのアイコンがどの端末の閲覧履歴情報なのかを識別することができる。
【００８９】
通信端末１は、複数の他端末のそれぞれにおけるコンテンツの閲覧が終了した時刻の順番に複数のアイコン画像を並べて表示する。このため、ユーザは、他端末で閲覧していたコンテンツの時系列を確認しやすくなる。
【００９０】
また、通信端末１は、複数のアイコン画像から一以上のアイコン画像を選択する操作を受け付け、一以上のアイコン画像が選択された後に、受け付けた操作により特定されるアイコン画像に対応するコンテンツを表示させる。こうすると、ユーザは他端末で閲覧していた一以上のコンテンツを継続して閲覧することができる。
【００９１】
通信端末１は、一以上のアイコン画像が選択された後に、選択された一以上のアイコン画像に対応する閲覧履歴情報により特定されるコンテンツを、複数の他端末のうちアイコン画像に対応する他端末から取得する。こうすると、ユーザは他端末で閲覧していた一以上のコンテンツを継続して閲覧することができる。
【００９２】
通信端末１は、選択された一以上のアイコン画像に対応する前記閲覧履歴情報と、自端末におけるコンテンツの閲覧履歴を示す閲覧履歴情報とを、同一の画面内に表示する。これにより、ユーザは、自端末の閲覧履歴情報と他端末の閲覧履歴情報とから継続して閲覧するコンテンツを選択できる。
【００９３】
通信端末１は、複数のアイコン画像に対応する複数の他端末から取得された閲覧履歴情報を、複数の他端末のそれぞれを特定するための情報に関連付けて表示する。これにより、ユーザはどの閲覧履歴情報がどの通信端末に対応するのか識別することができる。
【００９４】
通信端末１は、取得部１５２が閲覧履歴情報を取得したことに応じて、閲覧履歴情報を送信した複数の他端末の台数よりも少ない数のアイコン画像を表示し、アイコン画像に対して行われる操作の内容に基づいて決定される端末において閲覧されていたコンテンツを表示する。これにより、スマートフォンなどの小さい画面の通信端末で、表示できるアイコン画像の数に制約がある場合であっても、ユーザが所望の通信端末で閲覧していたコンテンツを継続閲覧することができる。
【００９５】
通信端末１は、複数の他端末のうち、通信端末の通信料金と合算して通信料金が徴収される他端末から閲覧履歴情報を取得する。これにより、ユーザは通信料を節約することができる。
【００９６】
通信端末１は、他端末において閲覧されていたコンテンツを閲覧することを許可する通知を他端末から受けてから所定の期間において、他端末から閲覧履歴情報を取得する。これにより、他端末のユーザは、通信端末１のユーザにコンテンツを継続閲覧させる期間を制限することができる。
【００９７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００９８】
例えば、以上の説明において、アイコン表示画面がロック画面である例について説明したが、アイコン表示画面はロック画面に限らない。アイコン画像を表示する画面は、ロックがかけられていないスタンバイ状態を始めとする他の画面であってもよい。
【００９９】
また、通信端末１は、閲覧履歴情報と閲覧を中断したコンテンツのデータとの双方を他端末から受信できない場合、閲覧履歴情報に基づいて、他端末において閲覧を中断したコンテンツのデータをコンテンツプロバイダ、コンテンツが記録されているクラウドストレージ等から自動的に取得してもよい。
【符号の説明】
【０１００】
１  通信端末
２  通信端末
１１  操作部
１２  表示部
１３  通信部
１４  記憶部
１５  制御部
２２  表示部
１５１  ロック制御部
１５２  取得部
１５３  画面生成部
１５４  表示制御部
１５５  履歴送信部
Ｓ  通信システム
Ｗ  無線通信回線
【図１】
0006487360.tif 000002
【図２】
0006487360.tif 000003
【図３】
0006487360.tif 000004
【図４】
0006487360.tif 000005
【図５】
0006487360.tif 000006
【図６】
0006487360.tif 000007
【図７】
0006487360.tif 000008
【図８】
0006487360.tif 000009
【図９】
0006487360.tif 000010
【図１０】
0006487360.tif 000011